(57)【要約】【課題】  筆記具とペンライトと印鑑の機能を併せ持ち、携帯していても邪魔にならず、救助灯や安全灯等としても使用することができる。【解決手段】  軸状の筆記具本体１と、筆記具本体１の基端部に接続され、筆記具本体１と反対側の端部に発光体１４を有すると共に、内部に発光体１４の電源となる電池１６を内蔵した軸状のペンライト部２と、ペンライト部２の外周面に着脱自在に嵌合され、ペンライト部２を被覆する筒状のキャップ３と、キャップ３の端部に設けられ、多孔質性の浸透印材２３を有する印鑑４とから構成する。【選択図】      図２
0003115167.tif 000002
【実用新案登録請求の範囲】
【請求項１】
軸状の筆記具本体（１）と、筆記具本体（１）の基端部に接続され、筆記具本体（１）と反対側の端部に発光体（１４）を有すると共に、内部に発光体（１４）の電源となる電池（１６）を内蔵した軸状のペンライト部（２）と、ペンライト部（２）の外周面に着脱自在に嵌合され、ペンライト部（２）を被覆する筒状のキャップ（３）と、キャップ（３）の端部に設けられ、多孔質性の浸透印材（２３）を有する印鑑（４）とから構成したことを特徴とするライト及び印鑑付筆記具。
【請求項２】
ペンライト部（２）を筆記具本体（１）の基端部に着脱自在に接続してペンライト部（２）の電池（１６）を交換できる構成とし、又、印鑑（４）をキャップ（３）の端部に着脱自在に取り付けて浸透印材（２３）へインキを補充できる構成としたことを特徴とする請求項１に記載のライト及び印鑑付筆記具。
【請求項３】
ペンライト部（２）は、筆記具本体（１）の基端部に着脱自在に取り付けた筒状のランプ胴（１０）と、ランプ胴（１０）の端部に配設され、電気制御回路基板（１２）の回路に接続された高輝度のＬＥＤランプ又は豆電球から成る発光体（１４）と、ランプ胴（１０）内に収納され、電気制御回路基板（１２）に電気的に接続された発光体（１４）の電源となる電池（１６）と、ランプ胴（１０）内にランプ胴（１０）の外から操作可能に収納され、電気制御回路基板（１２）の回路に接続されて発光体（１４）を通電状態又は非通電状態に制御するスイッチ（１７）とを備えており、スイッチ（１７）を切り換え操作することによって、発光体（１４）が点灯、点滅又は消灯するように構成したことを特徴とする請求項１又は請求項２に記載のライト及び印鑑付筆記具。
【請求項４】
印鑑（４）は、キャップ（３）の端部に着脱自在に嵌合された印台（２０）と、印台（２０）の端部に着脱自在に螺着された筒状の金枠（２１）と、金枠（２１）内に取り外し自在に嵌め込まれ、印台（２０）の端面に当接するインキを含浸させたインキ吸蔵体（２２）と、金枠（２１）内にインキ吸蔵体（２２）へ接触する状態で取り外し自在に嵌め込まれ、印面（２３ａ）が金枠（２１）の端面から外方へ突出する多孔質性の浸透印材（２３）と、金枠（２１）に着脱自在に嵌合され、印面（２３ａ）を覆うカバー（２４）とを備えており、各部材を分解可能並びに組立可能に構成したことを特徴とする請求項１又は請求項２に記載のライト及び印鑑付筆記具。
【考案の詳細な説明】
【技術分野】
【０００１】
本考案は、筆記具の機能とペンライトの機能と印鑑の機能を併せ持つライト及び印鑑付筆記具に関するものであり、例えば、病院内で内科医や外科医、眼科医、歯科医等の医者が携帯して診察時に使用したり、登山者が携帯して遭難した場合や怪我で動けなくなった場合に自分の位置を知らせるために使用したり、或いは夜間に歩行する場合に歩行者が携帯してその存在を他に知らせるために使用したりするものである。
【背景技術】
【０００２】
一般に、内科や外科等の病院に於いては、内科医や外科医等の医者が患者を診察した際にその診察結果をボールペンや万年筆等の筆記具を用いてカルテに記入したり、診察した医者の名前をカルテに押印したりすることが行われている。又、患者の診察時には、医者がペンライトを用いて患者の患部や口腔内に光を照射して患部や口腔内を詳細に観察するようにしている。
【０００３】
そのため、内科医や外科医等の医者は、患者を診察する際にボールペン等の筆記具と、ペンライトと、印鑑とを一緒に所持しておかなければならず、これら複数の物品を白衣のポケット等にまとめて収納した場合には、極めて邪魔になると云う問題があった。又、筆記具とペンライトの形状及び大きさが良く似ているため、医者が筆記具とペンライトとを取り違えたりすることがあり、大変不便を感じているのが現状である。
【０００４】
一方、従前から書類等に記入して押印する場合には、ボールペン等の筆記具の基端部に連続捺印が可能な印鑑（インキを含浸し得る多孔質性の浸透印材を用いた印鑑）を取り付けた印鑑付筆記具が広く使用されている（例えば、特許文献１、特許文献２及び特許文献３参照）。
【０００５】
従って、前記印鑑付筆記具を医者が使用した場合には、診察時に所持する物品が印鑑付筆記具とペンライトの二つで済むことになる。
しかし、この場合にも、医者は、印鑑付筆記具とペンライトの二つの物品を一緒に所持しなければならないため、白衣のポケット等に収納した場合には、邪魔になったり、或いは印鑑付筆記具とペンライトを取り違えたりすると云う問題が発生している。
【特許文献１】特開平９−１５６２９１号公報
【特許文献２】特開平１１−９１２１９号公報
【特許文献３】特開２００１−４７７８９号公報
【考案の開示】
【考案が解決しようとする課題】
【０００６】
本考案は、このような問題点に鑑みて為されたものであり、その目的は筆記具とペンライトと印鑑の機能を併せ持ち、携帯していても邪魔にならず、然も、救助灯や安全灯等としても使用することができるライト及び印鑑付筆記具を提供することにある。
【課題を解決するための手段】
【０００７】
上記目的を達成する為に、本考案の請求項１のライト及び印鑑付筆記具は、軸状の筆記具本体と、筆記具本体の基端部に接続され、筆記具本体と反対側の端部に発光体を有すると共に、内部に発光体の電源となる電池を内蔵した軸状のペンライト部と、ペンライト部の外周面に着脱自在に嵌合され、ペンライト部を被覆する筒状のキャップと、キャップの端部に設けられ、多孔質性の浸透印材を有する印鑑とから構成したことに特徴がある。
【０００８】
本考案の請求項２のライト及び印鑑付筆記具は、ペンライト部を筆記具本体の基端部に着脱自在に接続してペンライト部の電池を交換できる構成とし、又、印鑑をキャップの端部に着脱自在に取り付けて浸透印材へインキを補充できる構成としたことに特徴がある。
【０００９】
本考案の請求項３のライト及び印鑑付筆記具は、ペンライト部が、筆記具本体の基端部に着脱自在に取り付けた筒状のランプ胴と、ランプ胴の端部に配設され、電気制御回路基板の回路に接続された高輝度のＬＥＤランプ又は豆電球から成る発光体と、ランプ胴内に収納され、電気制御回路基板に電気的に接続された発光体の電源となる電池と、ランプ胴内にランプ胴の外から操作可能に収納され、電気制御回路基板の回路に接続されて発光体を通電状態又は非通電状態に制御するスイッチとを備えており、スイッチを切り換え操作することによって、発光体が点灯、点滅又は消灯するように構成したことに特徴がある。
【００１０】
本考案の請求項４のライト及び印鑑付筆記具は、印鑑が、キャップの端部に着脱自在に嵌合された印台と、印台の端部に着脱自在に螺着された筒状の金枠と、金枠内に取り外し自在に嵌め込まれ、印台の端面に当接するインキを含浸させたインキ吸蔵体と、金枠内にインキ吸蔵体へ接触する状態で取り外し自在に嵌め込まれ、印面が金枠の端面から外方へ突出する多孔質性の浸透印材と、金枠に着脱自在に嵌合され、印面を覆うカバーとを備えており、各部材を分解可能並びに組立可能に構成したことに特徴がある。
【考案の効果】
【００１１】
本考案の請求項１のライト及び印鑑付筆記具は、筆記具の機能を有する軸状の筆記具本体と、筆記具本体の基端部に接続され、筆記具本体と反対側の端部に発光体を有する軸状のペンライト部と、ペンライト部を被覆する着脱自在な筒状のキャップと、キャップの端部に設けた多孔質性の浸透印材を有する印鑑とから成り、キャップを外してペンライト部の発光体を点灯させることによって、ペンライトとして機能し、又、浸透印材の印面を露出させることによって、印鑑として機能することになる。
即ち、本発明の請求項１のライト及び印鑑付筆記具は、一つの物品で筆記具の機能とペンライトの機能と印鑑の機能を併せ持つため、内科医や外科医等の医者が患者の診察時に白衣のポケット等に入れて携帯していても、邪魔になると云うことがなく、又、筆記具とペンライトを取り違えたりすると云う間違いも無くなる。
【００１２】
本考案の請求項２乃至請求項４のライト及び印鑑付筆記具は、上記効果に加えて更に次のような効果を奏することができる。
即ち、本考案の請求項２のライト及び印鑑付筆記具は、ペンライト部を筆記具本体の基端部に着脱自在に接続してペンライト部の電池を交換できる構成とし、又、印鑑をキャップの端部に着脱自在に取り付けて浸透印材へインキを補充できる構成としているため、電池の交換とインキの補充を行うことによって、ライト及び印鑑付筆記具を長期間に亘って使用することができる。
【００１３】
又、本考案の請求項３のライト及び印鑑付筆記具は、ペンライト部が、筒状のランプ胴内に発光体、電池、電気制御回路基板及びスイッチを内蔵して成り、スイッチを切り換え操作することによって、発光体が点灯、点滅又は消灯するように構成しているため、登山者が携帯している場合、登山者が遭難したときや怪我をして動けないときに、ペンライト部の発光体を点灯又は点滅させることによって、救助者等に自分の存在位置を知らせることができ、又、歩行者が携帯している場合、夜間に歩行するときに、ペンライト部の発光体を点灯又は点滅させることによって、歩行者の存在を明確にして交通の安全を確保することができる。その結果、本考案の請求項３のライト及び印鑑付筆記具は、救助灯や安全灯等としても使用することができる。
【００１４】
更に、本考案の請求項４のライト及び印鑑付筆記具は、印鑑が、印台、金枠、インキ吸蔵体、浸透印材及びカバーから成り、各部材を分解可能並びに組立可能に構成しているため、このライト及び印鑑付筆記具を通信販売やギフトとして受け取った場合には、ユーザーが予め付いていた浸透印材とインキ吸蔵体をメーカー等へ送り返して新たに自分の名前を刻印した浸透印材とインキ吸蔵体を申し込めば、ユーザー自身で簡単に組み立てることができ、印鑑を自分自身の印鑑とすることができる。又、印台と金枠とがネジ構造により着脱自在になっているため、印台のインキ吸蔵体と接触する端面を削ることによって、金枠の端面から外方へ突出する浸透印材の印面の微調整を行うことができる。更に、印鑑の分解並びに組立をユーザー側で簡単に行えるため、メーカー等は浸透印材のみで在庫することが可能となり、至極便利である。
【考案を実施するための最良の形態】
【００１５】
以下、本考案の実施の形態を図面に基づいて詳細に説明する。
図１は本考案の実施の形態に係るライト及び印鑑付筆記具を示し、当該ライト及び印鑑付筆記具は、筆記具の機能とペンライトの機能と印鑑の機能を併せ持つものであり、例えば、病院内で内科医や外科医、眼科医、歯科医等の医者が携帯して患者を診察するときに使用したり、登山者が携帯して遭難したときや怪我で動けなくなったときに自分の位置を知らせるために使用したり、或いは夜間に歩行するときに歩行者が携帯してその存在を他に知らせるために使用したりするものである。
【００１６】
即ち、前記ライト及び印鑑付筆記具は、図２に示す如く、筆記具の機能を有する短い軸状の筆記具本体１と、筆記具本体１の基端部に着脱自在に接続され、筆記具本体１と反対側の端部に発光体１４を有すると共に、内部に発光体１４の電源となる電池１６を内蔵した短い軸状のペンライト部２と、ペンライト部２の外周面に着脱自在に嵌合され、ペンライト部２を被覆する筒状のキャップ３と、キャップ３の端部に設けられ、多孔質性の浸透印材２３を有するカバー２４付の印鑑４とから構成されており、キャップ３を外してペンライト部２の発光体１４を点灯又は点滅させることによって、ペンライトとして機能し、又、カバー２４を外して印面２３ａを露出させることによって、印鑑４として機能するようになっている。
【００１７】
前記筆記具本体１は、筒状の本体軸５内に、異なる色のインキを充填した二本のリフィール６（ボールペン軸）、リフィールホルダー、スプリング、カム及びカム軸（何れも図示省略）等を内蔵して成り、本体軸５の基端部側に位置してカム軸の基端部に取り付けたリング７を正逆回転方向へ回転操作し、カム軸を本体軸５に対して正逆回転させることによって、二本のリフィール６の先端部が本体軸５の先端に螺着したテーパ部材８の先端から選択的に突出するように構成されている。
【００１８】
尚、上記実施の形態に於いては、筆記具本体１は、カム式の機構を用いてリフィール６の先端部を筆記具本体１の先端から突出させるようにしているが、他の実施の形態に於いては、ノック式の機構やスライダー式の機構を用いてリフィール６の先端部を筆記具本体１の先端から突出させるようにしても良い。
又、上記実施の形態に於いては、筆記具本体１を二本のリフィール６を備えたボールペンとしたが、他の実施の形態に於いては、筆記具本体１を単軸のボールペン又はシャープペンシルとして良く、或いはボールペンとシャープペンシルの両方の機能を備えた複合筆記具としても良い。更に、筆記具本体１をリフィール６が固定式のボールペン、万年筆、サインペン、フェルトペン等としても良い。
【００１９】
前記ペンライト部２は、筆記具本体１と略同じ長さの軸状に形成されて筆記具本体１の基端部に筆記具本体１と一直線状になるように着脱自在に接続されており、筆記具本体１と反対側の端部に発光体１４を有すると共に、内部に発光体１４の電源となる電池１６を交換可能に内蔵したものである。
【００２０】
具体的には、ペンライト部２は、図２乃至図４に示す如く、筆記具本体１の基端部に取り付けられ、外周面に雄ネジ９ａを形成した導電性を有する電池押え９と、電池押え９の雄ネジ９ａに着脱自在に螺着され、一端部内周面に電池押え９の雄ネジ９ａに螺着される雌ネジ１０ａを形成した導電性を有する筒状のランプ胴１０と、ランプ胴１０の他端部内方に嵌合され、スリット状の溝１１ａを形成した導電性を有する略筒状の基板取付具１１と、ランプ胴１０内に収納され、基板取付具１１のスリット状の溝１１ａに挿着されて基板取付具１１を介してランプ胴１０に導通する電気制御回路基板１２と、電気制御回路基板１２に支持され、その回路に接続された導電性を有するスプリング１３と、ランプ胴１０の他端部に設けた基板取付具１１に保持され、電気制御回路基板１２の回路に接続されてランプ胴１０の端面から突出する高輝度のＬＥＤランプから成る発光体１４と、基板取付具１１の端部外周面に形成した雄ネジ１１ａに着脱自在に螺着され、一端部内周面に基板取付具１１の雄ネジ１１ａに螺着される雌ネジ１５ａを有すると共に、他端部内周面に発光体１４の周囲を囲う凹状の反射鏡面１５ｂを備えた略筒状の反射体１５と、ランプ胴１０内に収納保持された絶縁性の筒状の電池ホルダー１６ａと、電池ホルダー１６ａに直列状に収納保持され、電池押え９及びスプリング１３に夫々導通されて発光体１４の電源と成る複数個の電池１６（ボタン電池）と、ランプ胴１０内にランプ胴１０の外から操作可能に収納され、電気制御回路基板１２の回路に接続されて発光体１４を通電状態又は非通電状態に制御する押ボタン式のスイッチ１７と、ランプ胴１０の周壁に形成したボタン穴１０ａに押し込み操作可能に配設され、スイッチ１７を切り換え操作するスイッチボタン１８とを備えており、スイッチボタン１８を押し込み操作してスイッチ１７を切り換え操作することによって、発光体１４が点灯、点滅又は消灯するように構成されている。
即ち、ペンライト部２は、発光体１４が消灯している状態でスイッチボタン１８を一回押すと、スイッチ１７がＯＮの状態になって発光体１４が点灯し、この状態でスイッチボタン１８をもう一回押すと、発光体１４が早く点滅し、又、この状態でスイッチボタン１８をもう一回押すと、発光体１４が遅く点滅し、更に、この状態でスイッチボタン１８をもう一回押すと、スイッチ１７がＯＦＦの状態になって発光体１４が消灯するように構成されている。
【００２１】
尚、上記実施の形態に於いては、発光体１４に高輝度のＬＥＤランプを使用するようにしたが、他の実施の形態に於いては、発光体１４に高輝度の豆電球（図示省略）を使用するようにしても良い。
又、上記実施の形態に於いては、スイッチ１７を切り換え操作することによって、発光体１４が点灯、点滅又は消灯するように構成したが、他の実施の形態に於いては、スイッチ１７を切り換え操作することによって、発光体１４が点灯又は消灯するように構成しても良い。
【００２２】
前記キャップ３は、図２に示す如く、ペンライト部２全体を被覆できる大きさの筒状に形成されており、ペンライト部２のランプ胴１０の外周面に着脱自在に嵌合されてペンライト部２を被覆するようになっている。
又、キャップ３は、その先端部内周面に筆記具本体１のリング７の外周面に形成した突起７ａに係止される切溝３ａを形成しており、ペンライト部２を被覆してその切溝３ａをリング７の突起７ａへ係止させることによって、リング７を正逆転方向へ回転操作することができるようになっている。従って、キャップ３を筆記具本体１に対して正逆回転方向へ回転操作することによって、筆記具本体１のリング７も正逆回転方向へ回転操作されることになり、二本のリフィール６の先端部を筆記具本体１の先端から選択的に突出させることができる。
更に、キャップ３の外周面には、クリップ１９が取り付けられていると共に、キャップ３の内周面には、ペンライト部２のランプ胴１０との嵌合度合いを調整するための板バネ（図示省略）が配設されている。
【００２３】
前記印鑑４は、キャップ３の端部にキャップ３と一直線状になるように着脱自在に取り付けられており、多孔質性の浸透印材２３を有し、この浸透印材２３にインキを補充できると共に、各部材を分解並びに組立できるように構成されている。
【００２４】
具体的には、印鑑４は、図２乃至図４に示す如く、キャップ３の基端部に着脱自在に嵌合され、外周面に雄ネジ２０ａとキャップ３の端面に当接する環状のストッパー部２０ｂを夫々形成したプラスチック製の筒状の印台２０と、印台２０の外周面に着脱自在に被せられ、一端部内周面に印台２０の雄ネジ２０ａに螺着される雌ネジ２１ａを有すると共に、他端部内周面に環状の抜け止め部２１ｂを備えた筒状の金枠２１と、金枠２１内に取り外し自在に嵌め込まれ、印台２０の端面に当接するインキを含浸させた円盤状のインキ吸蔵体２２と、金枠２１内にインキ吸蔵体２２へ接触する状態で取り外し自在に嵌め込まれ、印面２３ａが金枠２１の端面から外方へ突出する多孔質性の円盤状の浸透印材２３と、金枠２１の外周面に着脱自在に嵌合され、印面２３ａを覆うカバー２４とから構成されており、金枠２１内に浸透印材２３及びインキ吸蔵体２２を順次嵌め込み、金枠２１を印台２０に被せて金枠２１の雌ネジ２１ａと印台２０の雄ネジ２０ａを螺合して行くことによって、浸透印材２３及びインキ吸蔵体２２が金枠２１の抜け止め部２１ｂと印台２０の端面に挟まれて金枠２１から抜け止めされると共に、浸透印材２３及びインキ吸蔵体２２が印台２０により押されて浸透印材２３の印面２３ａが金枠２１の端面から外方へ突出するようになっている。
【００２５】
尚、インキ吸蔵体２２は、樹脂加工フェルト、ゴムスポンジ、合成樹脂焼結体等のインキ保有性を有する材質により円盤状に形成されている。
又、浸透印材２３は、シリコン、ＮＢＲ、ＥＢＲ等の多孔質性の材料により円盤状に形成されており、印面２３ａにはライト及び印鑑付筆記具を所有する人の名前が刻印されている。この浸透印材２３の気孔は、インキ吸蔵体２２の気孔より目が細かくなっており、インキ吸蔵体２２に蓄えられたインキが毛細管作用により浸透印材２３へ移行するようになっている。
更に、カバー２４の内周面には、金枠２１との嵌合度合いを調整するための板バネ（図示省略）が配設されている。
【００２６】
上述した構造のライト及び印鑑付筆記具は、キャップ３を筆記具本体１に対して正回転又は逆回転操作し、キャップ３に係止された筆記具本体１のリング７を本体軸５に対して正回転又は逆回転させて筆記具本体１の先端からリフィール６の先端部を突出させることによって、筆記具として使用することができる（図５参照）。
又、このライト及び印鑑付筆記具は、キャップ３を外してペンライト部２を露出させ、ランプ胴１０の外周面に設けたスイッチボタン１８を押し込み操作して発光体１４を点灯又は点滅させることによって、ペンライトして使用することができる（図６参照）。
更に、このライト及び印鑑付筆記具は、キャップ３に設けた印鑑４のカバー２４を外して浸透印材２３の印面２３ａを露出させることによって、印鑑４として使用することができる（図７参照）。
【００２７】
そして、前記ライト及び印鑑付筆記具を医者が携帯している場合、ライト及び印鑑付筆記具は、一つの物品で筆記具の機能とペンライトの機能と印鑑４の機能を併せ持つため、医者が患者を診察する際に白衣のポケット等に収納していても、邪魔になると云うことがなく、又、筆記具とペンライトを取り違えたりすると云うこともない。
又、ライト及び印鑑付筆記具を登山者が携帯している場合、ライト及び印鑑付筆記具は、ペンライト部２の発光体１４がスイッチ１７の切り換え操作によって、点灯又は点滅するようになっているため、登山者が遭難したときや怪我をして動けないときに、ペンライト部２の発光体１４を点灯又は点滅させることによって、救助者等に自分の存在位置を知らせることができ、救助灯としても使用することができる。
更に、ライト及び印鑑付筆記具を夜間の歩行者が携帯している場合、ライト及び印鑑付筆記具は、ペンライト部２の発光体１４を点灯又は点滅させることによって、歩行者の存在を明確にして交通の安全を確保することができ、安全灯としても使用することができる。
加えて、ライト及び印鑑付筆記具は、印鑑４が分解可能並びに組立可能に構成されているため、このライト及び印鑑付筆記具を通信販売やギフトとして受け取った場合には、ユーザーが予め付いていた浸透印材２３とインキ吸蔵体２２をメーカー等へ送り返して新たに自分の名前を刻印した浸透印材２３とインキ吸蔵体２２を申し込めば、ユーザー自身で簡単に組み立てることができ、印鑑４を自分自身の印鑑４とすることができる。又、印台２０と金枠２１とがネジ構造により着脱自在になっているため、印台２０のインキ吸蔵体２２と接触する端面を削ることによって、金枠２１の端面から外方へ突出する浸透印材２３の印面２３ａの微調整を行うことができる。更に、印鑑４の分解並びに組立をユーザー側で簡単に行えるため、メーカー等は浸透印材２３のみで在庫することも可能となり、至極便利である。
【図面の簡単な説明】
【００２８】
【図１】本考案の実施の形態に係るライト及び印鑑付筆記具の正面図である。
【図２】ライト及び印鑑付筆記具の拡大縦断面図である。
【図３】ライト及び印鑑付筆記具の拡大分解図である。
【図４】ライト及び印鑑付筆記具の拡大分解断面図である。
【図５】ライト及び印鑑付筆記具の使用状態を示し、ライト及び印鑑付筆記具を筆記具として使用する場合の正面図である。
【図６】ライト及び印鑑付筆記具の使用状態を示し、ライト及び印鑑付筆記具をペンライトとして使用する場合の一部切欠正面図である。
【図７】ライト及び印鑑付筆記具の使用状態を示し、ライト及び印鑑付筆記具を印鑑として使用する場合の正面図である。
【符号の説明】
【００２９】
１は筆記具本体、２はペンライト部、３はキャップ、４は印鑑、１０はランプ胴、１２は電気制御回路基板、１４は発光体、１６は電池、１７はスイッチ、２０は印台、２１は金枠、２２はインキ吸蔵体、２３は浸透印材、２３ａは浸透印材の印面、２４はカバー。
【図１】
0003115167.tif 000003
【図２】
0003115167.tif 000004
【図３】
0003115167.tif 000005
【図４】
0003115167.tif 000006
【図５】
0003115167.tif 000007
【図６】
0003115167.tif 000008
【図７】
0003115167.tif 000009